(57)【要約】【課題】１画面を表示するたびに、上半分と下半分の境界である中央部で瞬間的に強い光が発生することを抑制すること目的とする。【解決手段】表示パネルを第１及び第２の領域に分割して表示をする表示パネルのスキャン方法であって、第１の領域の第１番目のロウ電極を駆動するタイミングに同期して、カウンタを起動させ、カウンタの値が変わるごとに、第２の領域の第１番目のロウ電極を駆動する。【選択図】  図２
2006039457.tif 000002
【特許請求の範囲】
【請求項１】
表示パネルを第１及び第２の領域に分割して表示をする表示パネルのスキャン方法であって、
前記第１の領域の第１番目のロウ電極を駆動するタイミングに同期してカウンタを起動させ、前記カウンタの値が変わるごとに、前記第２の領域の第１番目のロウ電極を駆動することを特徴とする表示パネルのスキャン方法。
【請求項２】
前記第２の領域の前記第１番目のロウ電極は、前記第１の領域の前記第１番目のロウ電極と同じタイミングで駆動されることを特徴とする請求項１記載の表示パネルのスキャン方法。
【請求項３】
前記第２の領域の前記第１番目のロウ電極は、前記第１の領域の前記第１番目のロウ電極より遅延して駆動されることを特徴とする請求項１記載の表示パネルのスキャン方法。
【請求項４】
前記第１の領域の前記第１番目のロウ電極を駆動するタイミングに同期して前記第１の領域の表示パネルの設定を変更し、前記カウンタの値が変わるごとに前記第２の領域の表示パネルの設定を変更することを特徴とする請求項１〜３のいずれか一つに記載の表示パネルのスキャン方法。
【請求項５】
表示パネルを第１及び第２の領域に分割して表示をする表示パネルのスキャン方法であって、
前記第１の領域の最終番目のロウ電極を駆動するタイミングに同期してカウンタを起動させ、前記カウンタの値が変わるごとに、前記第２の領域の最終番目のロウ電極を駆動することを特徴とする表示パネルのスキャン方法。
【請求項６】
前記第２の領域の前記最終番目のロウ電極は、前記第１の領域の前記最終番目のロウ電極と同じタイミングで駆動されることを特徴とする請求項５記載の表示パネルのスキャン方法。
【請求項７】
前記第２の領域の前記最終番目のロウ電極は、前記第１の領域の前記最終番目のロウ電極より早く駆動されることを特徴とする請求項５記載の表示パネルのスキャン方法。
【請求項８】
前記第１の領域の前記最終番目のロウ電極を駆動するタイミングに同期して前記第１の領域の表示パネルの設定を変更し、前記カウンタの値が変わるごとに前記第２の領域の表示パネルの設定を変更することを特徴とする請求項５〜７のいずれか一つに記載の表示パネルのスキャン方法。
【請求項９】
第１及び第２の領域に分割された表示パネルと、
前記表示パネルの前記第１の領域のロウ電極を駆動する第１のロウドライバと、
前記表示パネルの前記第１の領域のカラム電極を駆動する第１のカラムドライバと、
前記表示パネルの前記第２の領域のロウ電極を駆動する第２のロウドライバと、
前記表示パネルの前記第２の領域のカラム電極を駆動する第２のカラムドライバと、
前記第１のロウドライバ及び前記第１のカラムドライバを制御し、前記第１の領域の一つのロウ電極の駆動に同期して、同期信号を生成する第１のコントローラと、
前記第２のロウドライバ及び前記第２のカラムドライバを制御し、前記同期信号に同期して、前記第２の領域のロウ電極の駆動を開始させる第２のコントローラとにより構成されることを特徴とする表示装置。
【請求項１０】
前記第２のコントローラは、前記同期信号に同期してカウントを開始するカウンタを有し、前記カウンタの値が更新されるごとに、前記第２の領域のロウ電極を駆動することを特徴とする請求項９記載の表示装置。
【請求項１１】
第１及び第２の領域に分割された表示パネルと、
前記表示パネルの前記第１の領域のロウ電極を駆動する第１のロウドライバと、
前記表示パネルの前記第１の領域のカラム電極を駆動する第１のカラムドライバと、
前記表示パネルの前記第２の領域のロウ電極を駆動する第２のロウドライバと、
前記表示パネルの前記第２の領域のカラム電極を駆動する第２のカラムドライバと、
前記第１のロウドライバ及び前記第１のカラムドライバを制御し、前記第１の領域の一つのロウ電極の駆動に同期してカウントを開始すると共に同期信号を生成する第１のコントローラと、
前記第２のロウドライバ及び前記第２のカラムドライバを制御し、前記第１のコントローラのカウントに同期して前記第２の領域のロウ電極の駆動を開始させる第２のコントローラとにより構成されることを特徴とする表示装置。
【請求項１２】
前記第２の領域の前記ロウ電極は、前記第１の領域の前記ロウ電極より遅延して駆動されることを特徴とする請求項１１記載の表示装置。
【請求項１３】
前記第２の領域の前記ロウ電極は、前記第１の領域の前記ロウ電極より早く駆動されることを特徴とする請求項１１または１２記載の表示装置。
【請求項１４】
前記第１のコントローラは前記第１の領域の一つのロウ電極の駆動に同期して表示パネルの設定を変更させ、前記第２のコントローラは前記第１のコントローラのカウントに同期して表示パネルの設定を変更させることを特徴とする請求項１１〜１３のいずれか一つに記載の表示装置。
【発明の詳細な説明】
【技術分野】
【０００１】
本発明は、表示パネルのスキャン方法及び表示装置に関し、特に、表示パネルを複数に分割して表示するためのスキャン方法及び表示装置に関する。
【背景技術】
【０００２】
特許文献１は、従来の表示パネルのスキャン方法を開示している。特許文献１の従来技術においては、ｎ（ｎは２の倍数の正整数）本のスキャンラインを有する表示パネルを１番目〜ｎ／２番目の上半分と、ｎ／２+１番目〜ｎ番目の下半分とに分割している。そして、上半分を１番目、２番目、・・・、ｎ／２番目の順番でスキャンし、下半分をｎ／２+１番目、ｎ／２+２番目、・・・、ｎ番目の順番でスキャンする方法を開示している。
【特許文献１】特開２００３−３０２９３７号公報
【発明の開示】
【発明が解決しようとする課題】
【０００３】
しかしながら、特許文献１の従来技術のスキャン方法においては、上半分のスキャンタイミングと下半分のスキャンタイミングのずれが生じた（位相差がある）場合に、隣接する上半分のｎ／２番目のスキャンラインと下半分のｎ／２+１番目のスキャンラインとが、同時にスキャンされる場合がある。
【０００４】
なお、特許文献１の発明の実施の形態においては、スキャンラインを上半分と下半分とに分割し、上半分のスキャンラインと下半分のスキャンラインをパネルの中央軸に対して互いに対称となるように順次スキャンする方法を開示している。しかし、この場合は、隣接する上半分のｎ／２番目のスキャンラインと下半分のｎ／２+１番目のスキャンラインとが、必ず同時にスキャンされる。
【０００５】
ここで、隣り合う２本のスキャンラインが同時にスキャンされると、視覚的には１本のスキャン動作に見え、他のスキャンラインと比較して強い光を感じてしまうという問題点が生じる。
そのため、従来のスキャン方法においては、１画面を表示するたびに、上半分と下半分の境界である中央部で瞬間的に強い光が発生するという問題点が生じる。
【課題を解決するための手段】
【０００６】
本発明の一形態の表示パネルのスキャン方法は、表示パネルを第１及び第２の領域に分割して表示をする表示パネルのスキャン方法であって、第１の領域の第１番目のロウ電極を駆動するタイミングに同期して、カウンタを起動させ、カウンタの値が変わるごとに、第２の領域の第１番目のロウ電極を駆動する。
【０００７】
本発明の一形態の表示パネルのスキャン方法を用いた表示装置は、第１及び第２の領域に分割された表示パネルと、表示パネルの第１の領域のロウ電極を駆動する第１のロウドライバと、表示パネルの第１の領域のカラム電極を駆動する第１のカラムドライバと、表示パネルの第２の領域のロウ電極を駆動する第２のロウドライバと、表示パネルの前記第２の領域のカラム電極を駆動する第２のカラムドライバと、第１のロウドライバ及び第１のカラムドライバを制御し第１の領域の一つのロウ電極の駆動に同期して同期信号を生成する第１のコントローラと、第２のロウドライバ及び第２のカラムドライバを制御し同期信号に同期して第２の領域のロウ電極の駆動を開始させる第２のコントローラとにより構成される。
【発明の効果】
【０００８】
本発明の表示パネルのスキャン方法及び表示装置によれば、表示パネルの中央部の瞬間的な強い光の発生を低減することができる。
【発明を実施するための最良の形態】
【０００９】
初めに、図１を用いて、本発明の表示パネルのスキャン方法で用いるデュアルスキャン駆動について説明する。デュアルスキャン駆動とは、ロウ電極を２つのグループに分割し、それぞれ独立して駆動する方法である。なお、図１は説明の都合上、表示パネルを２つに分割しているが、３つ以上に分割しても本発明が適用可能であることは言うまでもない。
【００１０】
図１は、本発明の表示装置の一部を示すブロック図である。表示装置は、有機ＥＬ表示パネル１００と、ロウドライバ１１０と、カラムドライバ１２０、１３０とを有している。ロウドライバ１１０はｎ（ｎは正整数）本のロウ電極を駆動し、カラムドライバ１２０、１３０はｍ（ｍは正整数）本のカラム電極を駆動する。有機ＥＬ表示パネル１００は、ロウ電極とカラム電極とにより構成されるマトリクス状を有し、それぞれの交点に有機ＥＬ素子が形成されている。本発明で用いるデュアルスキャン駆動において、有機ＥＬ表示パネルは、１番目〜ｎ／２番目のロウ電極により構成される上領域１０１とｎ／２＋１番目〜ｎ番目のロウ電極により構成される下領域１０２とに分割される。ここで、本発明のデュアルスキャン駆動は、以下の２つのスキャン方向を有している。スキャン方向１は、上領域１０１のロウ電極を１番目、２番目、・・・、ｎ／２番目の順番でスキャンし、下領域１０２のロウ電極をｎ／２＋１番目、ｎ／２＋２番目、・・・、ｎ番目の順番でスキャンする。一方、スキャン方向２は、上領域１０１のロウ電極をｎ／２番目、ｎ／２−１番目、・・・、１番目の順番でスキャンし、下領域１０２のロウ電極をｎ番目、ｎ−１番目、・・・、ｎ／２＋１番目の順番でスキャンする。
【実施例１】
【００１１】
図面を用いて、本発明の実施例１の表示装置について説明する。図２は、本発明の実施例１の表示装置である。表示装置は、有機ＥＬ表示パネル２００と、第１のロウドライバ２１０と、第２のロウドライバ２２０と、第１のカラムドライバ２３０と、第２のカラムドライバ２４０と、第１のコントローラ２５０と、第２のコントローラ２６０とを有する。
【００１２】
有機ＥＬ表示パネル２００は、上領域２０１と、下領域２０２とに分割されている。第１のロウドライバ２１０は有機ＥＬ表示パネル２００の上領域２０１のロウ電極を駆動し、第２のロウドライバ２２０は有機ＥＬ表示パネル２００の下領域２０２のロウ電極を駆動する。第１のカラムドライバ２３０は有機ＥＬ表示パネル２００の上領域２０１のカラム電極を駆動し、第２のカラムドライバ２４０は有機ＥＬ表示パネル２００の下領域２０２のカラム電極を駆動する。
【００１３】
第１のコントローラ２５０は、第１のロウドライバ２１０と第１のカラムドライバ２３０と第２のコントローラ２６０と接続している。第１のコントローラ２５０は、スキャン方向信号２７０を入力し、第１のロウドライバ２１０を制御するための第１の制御信号２５１と第１のカラムドライバ２３０を制御するための第２の制御信号２５２と第２のコントローラ２６０の同期を調整するための同期信号２５３とを出力する。第２のコントローラ２６０は、第２のロウドライバ２２０と第２のカラムドライバ２４０と第１のコントローラ２５０と接続している。第２のコントローラ２６０は、スキャン方向信号２７０と同期信号２５３とを入力し、第２のロウドライバ２２０を制御するための第３の制御信号２６１と第２のカラムドライバ２４０を制御するための第４の制御信号２６２とを出力する。
【００１４】
次に、図面を用いて、本発明の実施例１の表示パネルのスキャン方法について説明する。図３は、本発明の実施例１の表示パネルのスキャン方法を示すタイミングチャートである。図３のタイミングチャートは、スキャン方向１についてのタイミングチャートである。
【００１５】
第１のロウドライバ２１０は、ロウ電極を１番目、２番目、・・・、ｎ／２−１番目、ｎ／２番目の順番で駆動する。以下、駆動方法について具体的に説明する。初めに、第１のロウドライバ２１０の１番目のロウ電極が駆動する。第１のロウドライバ２１０の１番目のロウ電極を駆動すると同時に、第１のロウドライバ２１０はワンパルス信号である同期信号２５３を出力する。同期信号２５３の立ち上がりを検出して、第１のロウドライバ２１０はカウンタの値を１つインクリメントする。ここで、カウンタの値は、１、２、・・・、ｍ−１、ｍの順番に一つずつインクリメントしている。なお、カウンタの値は、ｍ、ｍ−１、・・・、２、１の順番に一つずつデクリメントするものでも良い。次に、カウンタの値が１から２への変化するのを検出して、第１のロウドライバ２１０の２番目のロウ電極を駆動する。以降、第１のロウドライバ２１０は、同様な動作を繰り返す。
【００１６】
一方、第２のロウドライバ２２０は、ロウ電極をｎ／２＋１番目、ｎ／２＋２番目、・・・、ｎ−１番目、ｎ番目の順番で駆動する。以下、駆動方法について具体的に説明する。同期信号２５３の立ち上がりを検出して、第２のロウドライバ２２０はカウンタの値を１つインクリメントすると共に、ｎ／２＋１番目のロウ電極を駆動する。ここで、カウンタの値は、１、２、・・・、ｍ−１、ｍの順番に一つずつインクリメントしている。なお、カウンタの値は、ｍ、ｍ−１、・・・、２、１の順番に一つずつデクリメントするものでも良い。次に、カウンタの値が１から２への変化するのを検出して、第２のロウドライバ２２０のｎ／２＋２番目のロウ電極を駆動する。以降、第２のロウドライバ２２０は、同様な動作を繰り返す。
【００１７】
本発明の実施例１の表示パネルのスキャン方法及び表示装置によれば、有機ＥＬ表示パネルの上領域及び下領域の各ロウ電極の変化タイミングがそろっている。そのため、上領域のｎ／２番目のロウ電極のスキャンタイミングと下領域のｎ／２＋１番目のロウ電極のスキャンタイミングが重なることを回避することができる（図３の３００参照）。それにより、本発明の実施例１の表示パネルのスキャン方法及び表示装置によれば、有機ＥＬ表示パネルの中央部の瞬間的な強い光の発生を低減することができる。
【００１８】
なお、実施例１ではスキャン方向１（上から下方向）について説明した。しかしながら、スキャン方向２（下から上方向）について実施例１が適用可能であることは言うまでもない。
【実施例２】
【００１９】
図面を用いて、本発明の実施例２の表示装置について説明する。ここで、実施例１と同じ構成については同一番号を付与し、重複した説明を省略する。図４は、本発明の実施例２の表示装置である。表示装置は、有機ＥＬ表示パネル２００と、第１のロウドライバ２１０と、第２のロウドライバ２２０と、第１のカラムドライバ２３０と、第２のカラムドライバ２４０と、第１のコントローラ２５０と、第２のコントローラ４００と、位相調整部４１０とを有する。
【００２０】
第２のコントローラ４００は、第２のロウドライバ２２０と第２のカラムドライバ２４０と第１のコントローラ２５０と位相調整部４１０と接続している。第２のコントローラ４００は、スキャン方向信号２７０と同期信号２５３と開始位相信号４１１とを入力し、第２のロウドライバ２２０を制御するための第５の制御信号４０１と第２のカラムドライバ２４０を制御するための第６の制御信号４０２とを出力する。
【００２１】
位相調整部４１０は、第２のコントローラ４００と接続し、スキャン方向信号２７０を入力し、有機ＥＬ表示パネルの下領域２０２のロウ電極の位相を調整するための開始位相信号４１１を出力する。位相調整部４１０は、スキャン方向信号２７０によってスキャン方向を判断し、スキャン方向１（上から下方向）の場合、第１のコントローラ２５０の位相より１クロック分遅い位相値を開始位相信号４１１として第２のコントローラ４００に出力する。また、位相調整部４１０は、スキャン方向２（下から上方向）の場合、第１のコントローラ２５０の位相より１クロック分早い位相値を開始位相信号４１１として第２のコントローラ４００に出力する。
【００２２】
次に、図面を用いて、本発明の実施例２の表示パネルのスキャン方法について説明する。図５及び図６は、本発明の実施例２の表示パネルのスキャン方法を示すタイミングチャートである。図５のタイミングチャートは、スキャン方向１についてのタイミングチャートである。図６のタイミングチャートは、スキャン方向２についてのタイミングチャートである。
【００２３】
初めに、図５を用いて、スキャン方向１における、本発明の実施例２の表示パネルのスキャン方法について説明する。第１のロウドライバ２１０は、ロウ電極を１番目、２番目、・・・、ｎ／２−１番目、ｎ／２番目の順番で駆動する。以下、駆動方法について具体的に説明する。初めに、第１のロウドライバ２１０の１番目のロウ電極が駆動する。第１のロウドライバ２１０の１番目のロウ電極を駆動すると同時に、第１のロウドライバ２１０はワンパルス信号である同期信号２５３を出力する。同期信号２５３の立ち上がりを検出して、第１のロウドライバ２１０はカウンタの値を１つインクリメントする。ここで、カウンタの値は、１、２、・・・、ｍ−１、ｍの順番に一つずつインクリメントしている。なお、カウンタの値は、ｍ、ｍ−１、・・・、２、１の順番に一つずつデクリメントするものでも良い。次に、カウンタの値が１から２への変化するのを検出して、第１のロウドライバ２１０の２番目のロウ電極を駆動する。以降、第１のロウドライバ２１０は、同様な動作を繰り返す。ここで、カウンタの値が１から２へ変化するのを検出して、位相調整部４１０は、ワンパルス信号である開始位相信号４１１を出力する。
【００２４】
一方、第２のロウドライバ４００は、ロウ電極をｎ／２＋１番目、ｎ／２＋２番目、・・・、ｎ−１番目、ｎ番目の順番で駆動する。以下、駆動方法について具体的に説明する。開始位相信号４１１の立ち上がりを検出して、第２のロウドライバ４００はカウンタの値を１つインクリメントすると共に、ｎ／２＋１番目のロウ電極を駆動する。ここで、カウンタの値は、１、２、・・・、ｍ−１、ｍの順番に一つずつインクリメントしている。なお、カウンタの値は、ｍ、ｍ−１、・・・、２、１の順番に一つずつデクリメントするものでも良い。次に、カウンタの値が１から２への変化するのを検出して、第２のロウドライバ４００のｎ／２＋２番目のロウ電極を駆動する。以降、第２のロウドライバ４００は、同様な動作を繰り返す。
【００２５】
次に、図６を用いて、スキャン方向２における、本発明の実施例２の表示パネルのスキャン方法について説明する。第１のロウドライバ２１０は、ロウ電極をｎ／２番目、ｎ／２−１番目、・・・、２番目、１番目の順番で駆動する。以下、駆動方法について具体的に説明する。初めに、第１のロウドライバ２１０のｎ／２番目のロウ電極が駆動する。第１のロウドライバ２１０のｎ／２番目のロウ電極を駆動すると同時に、第１のロウドライバ２１０はワンパルス信号である同期信号２５３を出力する。同期信号２５３の立ち上がりを検出して、第１のロウドライバ２１０はカウンタの値を１つインクリメントする。ここで、カウンタの値は、１、２、・・・、ｍ−１、ｍの順番に一つずつインクリメントしている。なお、カウンタの値は、ｍ、ｍ−１、・・・、２、１の順番に一つずつデクリメントするものでも良い。次に、カウンタの値が１から２への変化するのを検出して、第１のロウドライバ２１０のｎ／２−１番目のロウ電極を駆動する。以降、第１のロウドライバ２１０は、同様な動作を繰り返す。ここで、カウンタの値がｍ−１からｍへ変化するのを検出して、位相調整部４１０は、ワンパルス信号である開始位相信号４１１を出力する。
【００２６】
一方、第２のロウドライバ４００は、ロウ電極をｎ番目、ｎ−１番目、・・・、ｎ／２＋２番目、ｎ／２＋１番目の順番で駆動する。以下、駆動方法について具体的に説明する。開始位相信号４１１の立ち上がりを検出して、第２のロウドライバ４００はカウンタの値を１つインクリメントすると共に、ｎ番目のロウ電極を駆動する。ここで、カウンタの値は、１、２、・・・、ｍ−１、ｍの順番に一つずつインクリメントしている。なお、カウンタの値は、ｍ、ｍ−１、・・・、２、１の順番に一つずつデクリメントするものでも良い。次に、カウンタの値が１から２への変化するのを検出して、第２のロウドライバ４００のｎ−１番目のロウ電極を駆動する。以降、第２のロウドライバ４００は、同様な動作を繰り返す。
【００２７】
以上説明したように、本発明の実施例２の表示パネルのスキャン方法は、スキャン方向１（上から下方向）の場合、第１のコントローラ２５０の位相より１クロック分遅い位相値を開始位相信号４１１として第２のコントローラ４００に出力する。よって、スキャン方向１の場合、表示パネル２００の上領域２０１のｎ／２番目のロウ電極が印加された場合、下領域２０２のｎ−１番目のロウ電極が印加される。従って、スキャン方向１の場合、表示パネルの中央部に位置する上領域のｎ／２番目のロウ電極と下領域のｎ／２＋１番目のロウ電極の印加時間は１クロック分離れる。同様にして、スキャン方向２（下から上方向）の場合、第１のコントローラ２５０の位相より１クロック分早い位相値を開始位相信号４１１として第２のコントローラ４００に出力する。よって、スキャン方向２の場合、表示パネル２００の下領域２０２のｎ／２＋１番目のロウ電極が印加される場合、上領域２０１の２番目のロウ電極が印加される。従って、スキャン方向２の場合、表示パネルの中央部に位置する上領域のｎ／２番目のロウ電極と下領域のｎ／２＋１番目のロウ電極の印加時間は１クロック分離れる。
【００２８】
本発明の実施例２の表示パネルのスキャン方法及び表示装置によれば、第１のコントローラと第２のコントローラの各クロック信号間のスキュー、あるいは各コントローラから各ロウドライバまでの配線遅延のばらつきにより、上領域のｎ／２番目のロウ電極と下領域のｎ／２＋１番目のロウ電極の印加時間が微妙に重なることを軽減することができる（図５の５００及び図６の６００参照）。よって、本発明の実施例２の表示パネルのスキャン方法及び表示装置によれば、微妙に重なることにより発生する、瞬間的な光を抑制することができる。
【００２９】
また、本発明の実施例２の表示パネルのスキャン方法及び表示装置によれば、スキャン方向１の場合、あらかじめ下領域の位相を１クロック分遅延させているため、上領域の位相が１クロック分遅延しても瞬間的な光の発生を抑制することができる。また、スキャン方向２の場合、あらかじめ下領域の位相を１クロック分進めているため、下領域の位相が１クロック分遅延しても瞬間的な光の発生を抑制することができる。
【実施例３】
【００３０】
図面を用いて、本発明の実施例３の表示装置について説明する。ここで、実施例１若しくは実施例２と同じ構成については同一番号を付与し、重複した説明を省略する。図７は、本発明の実施例３の表示装置である。表示装置は、有機ＥＬ表示パネル２００と、第１のロウドライバ２１０と、第２のロウドライバ２２０と、第１のカラムドライバ２３０と、第２のカラムドライバ２４０と、第１のコントローラ７００と、第２のコントローラ７１０と、位相調整部４１０とを有する。
【００３１】
第１のコントローラ７００は、第１のロウドライバ２１０と第１のカラムドライバ２３０と第２のコントローラ７１０と接続している。第１のコントローラ７００は、スキャン方向信号２７０と外部表示設定信号７２０とを入力する。ここで、外部表示設定信号７２０は、例えばパネルに画像を表示させるオン・オフ情報、画面サイズの変更情報、スクリーンセーバ開始・停止情報などパネル表示モードに関する変更情報を有している。また、第１のコントローラ７００は、第１のロウドライバ２１０を制御するための第７の制御信号７０１と第１のカラムドライバ２３０を制御するための第８の制御信号７０２と第２のコントローラ７１０の同期を調整するための同期信号７０３と表示モード情報を示す表示制御信号７０４とを出力する。
【００３２】
第２のコントローラ７１０は、第２のロウドライバ２２０と第２のカラムドライバ２４０と第１のコントローラ７００と位相調整部４１０と接続している。第２のコントローラ７１０は、スキャン方向信号２７０と同期信号７０３と表示制御信号７０４とを入力し、第２のロウドライバ２２０を制御するための第９の制御信号７１１と第２のカラムドライバ２４０を制御するための第１０の制御信号７１２とを出力する。
【００３３】
次に、図面を用いて、本発明の実施例３の表示パネルのスキャン方法について説明する。図８は、本発明の実施例３の表示パネルのスキャン方法を示すタイミングチャートである。ここで、スキャン方向１の場合、表示パネルの上領域のロウ電極を１番目からｎ／２番目の順番に一通りスキャンする期間を１フレームという。この１フレームの期間中に表示制御信号７０４を入力した場合、表示パネルの上領域及び下領域は、各々次のフレームまで現在の表示情報を維持する。そして、上領域は、同期信号７０３の立ち上がりに同期して、新しい表示情報に更新する。下領域は、開始位相信号４１１の立ち上がりを検出してカウンタがｍから１に変化することに同期して、新しい表示情報に更新する。
【００３４】
本発明の実施例３の表示パネルのスキャン方法及び表示装置によれば、実施例２と同様に、上領域のｎ／２番目のロウ電極と下領域のｎ／２＋１番目のロウ電極の印加時間が微妙に重なることを軽減することができる（図８の８００参照）。よって、本発明の実施例３の表示パネルのスキャン方法及び表示装置によれば、微妙に重なることにより発生する、瞬間的な光を抑制することができる。
【００３５】
また、本発明の実施例３の表示パネルのスキャン方法及び表示装置によれば、表示パネルを上下領域に分割して駆動する場合でも、上下領域間のフレーム単位の同期が取れるため、表示モード変更時も表示パネル全体として同一動作することができる。
【００３６】
なお、実施例３ではスキャン方向１（上から下方向）について説明した。しかしながら、スキャン方向２（下から上方向）について実施例３が適用可能であることは言うまでもない。
【００３７】
以上、実施例１〜３においては、表示パネルを２つに分割するデュアルスキャン方法及びそれを用いた表示装置について説明した。しかしながら、図９のように、３つの領域以上に分割する場合においても、本発明の表示パネル及び表示装置は適用可能である。この場合、第１のコントローラ９００は同期信号を出力し、他のコントローラはこの同期信号によって制御される。
【００３８】
また、実施例１〜３においては、表示パネルを有機ＥＬ表示パネルとして説明をした。しかしながら、実施例１〜３の表示パネルのスキャン方法及び表示装置の思想を液晶パネルに利用しても良いことは言うまでもない。
【図面の簡単な説明】
【００３９】
【図１】図１は、本発明の表示装置の一部を示すブロック図である。
【図２】図２は、本発明の実施例１の表示装置である。
【図３】図３のタイミングチャートは、スキャン方向１についてのタイミングチャートである。
【図４】図４は、本発明の実施例２の表示装置である。
【図５】図５は、スキャン方向１についてのタイミングチャートである。
【図６】図６は、スキャン方向２についてのタイミングチャートである。
【図７】図７は、本発明の実施例３の表示装置である。
【図８】図８は、本発明の実施例３の表示パネルのスキャン方法を示すタイミングチャートである。
【図９】図９は、本発明の他の実施例の表示装置である。
【符号の説明】
【００４０】
２００  有機ＥＬ表示パネル
２１０、２２０  ロウドライバ
２３０、２４０  カラムドライバ
２５０、２６０、４００、７００、７１０  コントローラ
４１０  位相調整部
【図１】
2006039457.tif 000003
【図２】
2006039457.tif 000004
【図３】
2006039457.tif 000005
【図４】
2006039457.tif 000006
【図５】
2006039457.tif 000007
【図６】
2006039457.tif 000008
【図７】
2006039457.tif 000009
【図８】
2006039457.tif 000010
【図９】
2006039457.tif 000011